【手続補正書】
【提出日】平成18年8月8日(2006.8.8)
【手続補正１】
【補正対象書類名】特許請求の範囲
【補正対象項目名】請求項８
【補正方法】変更
【補正の内容】
【請求項８】
請求項６又は請求項７に記載の電子計算機であって、係圧積が０又は係圧積の一桁圧縮数が９、かつ本積の一桁圧縮数が９、かつ空白の位を設けた因数においての空白の位以外の位の数字で０でないものがあるときにおいては、０を含む全ての一桁の数を意味するＡＬＬ等の記号等を表示することを特徴とする電子計算機。
【手続補正２】
【補正対象書類名】特許請求の範囲
【補正対象項目名】請求項９
【補正方法】変更
【補正の内容】
【請求項９】
請求項７に記載の電子計算機であって、係圧積が０又は係圧積の一桁圧縮数が９、かつ本積が０でなく、かつ一桁正数基定数若しくは定圧数が９、かつ空白の位を設けた因数においての空白の位以外の位の数字で０でないものがあるときにおいては、０を含む全ての一桁の数を意味するＡＬＬ等の記号等を表示することを特徴とする電子計算機。
【手続補正３】
【補正対象書類名】特許請求の範囲
【補正対象項目名】請求項１３
【補正方法】追加
【補正の内容】
【請求項１３】
請求項４又は請求項６に記載の電子計算機であって、基定数が０又は負数のときには、その絶対値の一桁圧縮数を９又は１８から引いて得る一桁の正数を定圧数として算出することを特徴とする電子計算機。
【手続補正４】
【補正対象書類名】特許請求の範囲
【補正対象項目名】請求項１４
【補正方法】追加
【補正の内容】
【請求項１４】
請求項５，請求項７又は請求項９に記載の電子計算機であって、基定数が正数のときにはその一桁圧縮数を、０又は負数のときにはその絶対値の一桁圧縮数を９又は１８から引いて得る一桁の正数を定圧数として算出することを特徴とする電子計算機。
【手続補正５】
【補正対象書類名】特許請求の範囲
【補正対象項目名】請求項１５
【補正方法】追加
【補正の内容】
【請求項１５】
請求項８に記載の電子計算機であって、基定数が二桁以上の正数のときにはその一桁圧縮数を、０又は負数のときにはその絶対値の一桁圧縮数を９又は１８から引いて得る一桁の正数を定圧数として算出することを特徴とする電子計算機。
【手続補正６】
【補正対象書類名】特許請求の範囲
【補正対象項目名】請求項１６
【補正方法】追加
【補正の内容】
【請求項１６】
請求項１０に記載の電子計算機であって、基定数が二桁以上の正数のときにはその一桁圧縮数を、負数のときにはその絶対値の一桁圧縮数を９から引いて得る数を定圧数として算出することを特徴とする電子計算機。
【手続補正７】
【補正対象書類名】明細書
【補正対象項目名】段落番号「００１０」
【補正方法】変更
【補正の内容】
【００１０】
先ず、空白の位を設けた因数以外の全ての因数又はそれらの圧縮数を掛け合わせてなる積を、係圧積と定義する。数１で表わされる圧縮式の係数ａは、係圧積の一桁圧縮数である。又、空白の位を設けた因数においての空白の位以外の全ての位の数を加えてなる和を、残位和と定義する。又、本積又はその圧縮数から、係圧積又はその圧縮数に残位和又はその圧縮数を掛け合わせてなる積を引いてなる数を、基定数と定義する。一桁の正数の基定数を一桁正数基定数と定義し、基定数が一桁の正数でない場合には基定数に９の倍数を加え、又は引いて一桁の正数となした数を、定圧数と定義する。ただし、一桁正数基定数は、定圧数の一種とする。定圧数を算出する際、９の倍数を加え、又は引くのではなく、請求項１３から請求項１６までに記載したもののように、基定数が正数のときにはその一桁圧縮数を、０又は負数のときにはその絶対値の一桁圧縮数を９あるいは１８から引いて得る一桁の正数を定圧数として算出してもよい。なお、１８から引くのは、絶対値の一桁圧縮数が９のときのみである。１８から引かずに９から引き、その差０が９と同値であることから定圧数を９として算出してもよい。数１の定数ｂは、この定圧数である。定圧数は、基定数を９で割った余りで、１から９までの数である。
【手続補正８】
【補正対象書類名】明細書
【補正対象項目名】段落番号「００１６」
【補正方法】変更
【補正の内容】
【００１６】
係圧積が０の場合には、空白の位を設けた因数以外の因数の少なくとも一個以上の因数が０であるので、本積が０である掛け算である。それゆえ、空白の位を設けた因数がどんな数であっても式は成り立つので、０を含む全ての一桁の数が解であると判定する。空白の位を設けた因数が二桁以上の因数で、空白の位がその因数の最も大きな位にあるときにおいても０が解であることを認めるとする。又、係圧積が０でなく、かつ本積が０の場合には、空白の位を設けた因数が０であるので、０が解であると判定する。その場合は、空白の位を設けた因数は一桁の数０であり、空白の位のみからなる数である。
【手続補正９】
【補正対象書類名】明細書
【補正対象項目名】段落番号「０１１５」
【補正方法】変更
【補正の内容】
【０１１５】
係圧積が０又は係圧積の一桁圧縮数が９、かつ本積が０でなく、かつ定圧数が９、かつ空白の位を設けた因数においての空白の位以外の位の数字で０でないものが有るときである。基定数が一桁の正数であれば、それをそのまま定圧数として用いる。なお、係圧積が０のときは、空白の位を設けた因数以外の因数に０であるものが少なくとも一個以上あり、本積及びその一桁圧縮数、すなわちｂ’の値も０である。又、項ａｃの値も０であり、ｂの値も０である。空白の位を設けた因数においての空白の位以外の位の数字で０でないものが無いとき、残位和は０であり、その一桁圧縮数のｃも０である。なお、空白の位を設けた因数においての空白の位以外の位の数字で０でないものが無ければ０を除く全ての一桁の数が解である。
【手続補正１０】
【補正対象書類名】明細書
【補正対象項目名】段落番号「０１１６」
【補正方法】変更
【補正の内容】
【０１１６】
係圧積の一桁圧縮数が９、かつ本積の一桁圧縮数が９であれば、数２４から定圧数は必ず９となる。つまり、ａの値もｂの値も９であって、空白の位を設けた因数においての空白の位以外の位の数字で０でないものが有れば、０を含む全ての一桁の数が解である。請求項８に記載したものは、このとき、ＡＬＬ等の記号を表示することを特徴とする。請求項９に記載したものも同様である。請求項９に記載したものにおいても、本積の一桁圧縮数は９である。
【手続補正１１】
【補正対象書類名】明細書
【補正対象項目名】段落番号「０１１７」
【補正方法】追加
【補正の内容】
【０１１７】
具体的な計算手順の一例をフローチャートで図示する。図１は、請求項４に記載したものの一例である。図２は、請求項５に記載したものの一例である。
【手続補正１２】
【補正対象書類名】明細書
【補正対象項目名】段落番号「０１１８」
【補正方法】追加
【補正の内容】
【０１１８】
図１は、計算に用いる数値が各々一桁圧縮数である事を特徴とする。その結果、「その積の一桁圧縮数を……」で始まる計算の結果が正数のときは、必ず一桁の数となる。その結果が９のとき、未知の位を設けた因数は必ず「ｘ０００…０」や「ｘ」の形であり、０が解となることは有り得ない。図２は、図１と異なり、計算に用いる数値が各々一桁圧縮数であるとは限らない。その為、図１では「その積の一桁圧縮数を……」で始まる計算の結果が正の数のときには必ず一桁の数となるのに対して、二桁以上の正の数となり得る。又、その結果が９であっても、未知の位を設けた因数が「ｘ０００…０」や「ｘ」の形であるとは限らない。なお、図２では「積が……」で始めたが、図１と同様に「未知の位を設けた因数以外……」で始めても構わない。その逆も構わない。各図、左上にある結論「０が解」及び「全ての一桁の数が解」が出るのは、一個以上の因数が０のときである。このとき、自明の為、それらの結論や過程を省いたもっと簡単なフローチャートでも有用である。
【手続補正１３】
【補正対象書類名】明細書
【補正対象項目名】図面の簡単な説明
【補正方法】追加
【補正の内容】
【図面の簡単な説明】
【図１】  請求項４に記載したものを図示したフローチャートの一例である。
【図２】  請求項５に記載したものを図示したフローチャートの一例である。
【手続補正１４】
【補正対象書類名】図面
【補正対象項目名】図１
【補正方法】追加
【補正の内容】
【図１】
2006350982.tif 000001
【手続補正１５】
【補正対象書類名】図面
【補正対象項目名】図２
【補正方法】追加
【補正の内容】
【図２】
2006350982.tif 000002